(57)【要約】【課題】昇圧コンバータにおいて最適な構成の可飽和特性を備える共振用リアクトルを有する燃料電池システムを提供すること。【解決手段】このような燃料電池システムに用いられる可飽和特性を備える共振用リアクトルとしてのコイルＬａは、磁性体によって形成されるコア１０，１５の間にギャップ２０，２１，２２，２３が形成され、ギャップ２０，２１，２２，２３に隣接して磁性体によって形成されるコア領域３０，３１，３２が設けられている。【選択図】図４
2011130594.tif 000002
【特許請求の範囲】
【請求項１】
直流電源である燃料電池、及び前記燃料電池の出力電圧を昇圧して負荷へ給電する昇圧コンバータを備える燃料電池システムであって、
前記昇圧コンバータは、
第一スイッチと第一コイルとを有し、前記第一スイッチが前記第一コイルに対してスイッチング動作することにより生ずる前記第一コイルの逆起電力で前記燃料電池の出力電圧を昇圧する主昇圧部と、
前記第一スイッチの両極間の電位差を蓄電量で調整するコンデンサを有し、前記スイッチング動作時に前記コンデンサの蓄電量を調整することで前記第一スイッチのスイッチング損失を減らす副昇圧部と、を有し、
前記副昇圧部は、第二スイッチと第二コイルとを有しており、
前記第二コイルは、磁性体によって形成されるコアの少なくとも一部に巻線を巻きつけて形成されるものであって、前記コアには非磁性体によって形成されるギャップが形成され、前記ギャップに隣接して磁性体によって形成されるコア領域が設けられていることを特徴とする燃料電池システム。
【発明の詳細な説明】
【技術分野】
【０００１】
本発明は、燃料電池システムに関する。
【背景技術】
【０００２】
近年、運転効率および環境性に優れる電源として燃料電池が注目されている。燃料電池は、燃料ガスの供給量を制御して負荷の要求に応じた電力を出力可能であるが、燃料電池の出力電圧が負荷の要求する電圧に一致しない場合がある。そこで、燃料電池の出力電圧をＤＣ／ＤＣコンバータで変換することにより、燃料電池の出力電圧と負荷の要求する電圧とを一致させる技術が提案されている（例えば、特許文献１参照）。
【０００３】
ＤＣ／ＤＣコンバータは、電子スイッチ、ダイオード、及びインダクタンスを基本素子とし、電子スイッチのスイッチング動作によって電圧を変換する。ＤＣ／ＤＣコンバータは、電子スイッチのスイッチング動作によりリップルが生ずるため、これを吸収するスナバ回路を備える。スナバ回路は、リップルをコンデンサで吸収する。このコンデンサに蓄えられた電荷が有効活用されないとＤＣ／ＤＣコンバータのエネルギー変換効率が低下するため、このコンデンサに蓄えられた電荷を回生させたりして有効活用する技術が提案されている（例えば、特許文献２参照）。
【０００４】
ＤＣ／ＤＣコンバータは、ソフトスイッチングさせることでスイッチング損失を低減可能であることが知られているが、これを燃料電池の昇圧に用いるとソフトスイッチングのために蓄えられた電力が燃料電池に入力される虞があり、適用が困難である。そこで、燃料電池の出力電圧をソフトスイッチングで昇圧可能にする燃料電池システムとして、下記特許文献３に記載の技術が提案されている。
【０００５】
上記特許文献３に記載されている燃料電池システムは、昇圧コンバータを備えており、その昇圧コンバータは、第一スイッチ（スイッチ素子とダイオードによって構成される）と第一コイルとを有し、第一スイッチが第一コイルに対してスイッチング動作することにより生ずる第一コイルの逆起電力で燃料電池の出力電圧を昇圧する主昇圧部と、第一スイッチの両極間の電位差を蓄電量で調整するコンデンサを有し、スイッチング動作時にコンデンサの蓄電量を調整することで第一スイッチのスイッチング損失を減らすものであって、第二スイッチ（スイッチ素子とダイオードによって構成される）と第二コイルを含む副昇圧部と、を有しているものである。
【０００６】
ところで、このような昇圧コンバータにおいて、第一スイッチと第二スイッチとを共にターンオフすると、第二スイッチを構成するダイオードに逆電流が瞬間的に流れ、瞬間的に止まり、この減少によってサージ電圧が発生する。この現象に対応するため本発明者らは、副昇圧部にダイオードを追加し、カソードを第二スイッチと第二コイルとの間に接続して実験を行ったが、やはりサージ電圧が発生し追加したダイオードが耐圧破壊してしまう現象が発生した。
【０００７】
このような現象に対しては、可飽和リアクトルとしての第三コイルを追加することが有用であると考えられ、またその追加する可飽和リアクトルの役割を共振リアクトルとしての第二コイルに担わせることが考えられる。このように、共振リアクトルに可飽和リアクトル特性を担わせた技術も提案されている（例えば、下記特許文献４参照）。
【先行技術文献】
【特許文献】
【０００８】
【特許文献１】特開２００３−２１７６２５号公報
【特許文献２】特開２００５−１４３２５９号公報
【特許文献３】特開２００９−１６５２４６号公報
【特許文献４】特開２００３−０１８８３３号公報
【発明の概要】
【発明が解決しようとする課題】
【０００９】
ところで、上記特許文献４には、共振用リアクトルについて次のように記載されている。具体的には、共振用リアクトルは、巻線がリッツ線（より線）であり、コアがトロイダル形状を有している。共振用リアクトルのコアは、外径および内径がフライバックトランスのコアと同等であり、厚みがフライバックトランスのコアと同等または小さく形成されている。また、共振用リアクトルのコアの磁化特性は、共振用リアクトルに流れる電流が所定の範囲内にあるときコアは不飽和であり、この領域ではほぼ一定のインダクタンス値を有し、所定の範囲を超える領域ではコアが飽和してインダクタンス値が減少するものと記載されている。
【００１０】
このように上記特許文献４には、可飽和特性を備える共振用リアクトルについて機能的な記載はあるものの、構成を明示する記載がなく、燃料電池システムの昇圧コンバータにおいてどのような可飽和リアクトルが適しているかは不明である。
【００１１】
本発明はこのような課題に鑑みてなされたものであり、その目的は、昇圧コンバータにおいて最適な構成の可飽和特性を備える共振用リアクトルを有する燃料電池システムを提供することにある。
【課題を解決するための手段】
【００１２】
上記課題を解決するために本発明に係る燃料電池システムは、直流電源である燃料電池、及び前記燃料電池の出力電圧を昇圧して負荷へ給電する昇圧コンバータを備える燃料電池システムであって、前記昇圧コンバータは、第一スイッチと第一コイルとを有し、前記第一スイッチが前記第一コイルに対してスイッチング動作することにより生ずる前記第一コイルの逆起電力で前記燃料電池の出力電圧を昇圧する主昇圧部と、前記第一スイッチの両極間の電位差を蓄電量で調整するコンデンサを有し、前記スイッチング動作時に前記コンデンサの蓄電量を調整することで前記第一スイッチのスイッチング損失を減らす副昇圧部と、を有し、前記副昇圧部は、第二スイッチと第二コイルとを有しており、前記第二コイルは、磁性体によって形成されるコアの少なくとも一部に巻線を巻きつけて形成されるものであって、前記コアには非磁性体によって形成されるギャップが形成され、前記ギャップに隣接して磁性体によって形成されるコア領域が設けられていることを特徴とする。
【００１３】
本発明によれば、昇圧コンバータにおいて副昇圧部の共振リアクトルとして機能する第二コイルを、磁性体によって形成されるコアの少なくとも一部に巻線を巻きつけ、更にコアにギャップを設け、そのギャップに隣接するようにコア領域を設けることで形成しているので、可飽和特性を有する可飽和リアクトルとして機能させることができる。より具体的には、ギャップが形成されている部分に隣接させて磁性体によって形成されるコア領域を形成することで、そのコア領域が磁気抵抗の小さい経路となり、低電流側でインダクタンス値を高くすることができる。そのコア領域はギャップに隣接していることで、他のコア部分とは異なり磁気が通る経路としては容量が少ないため、高電流側ではコア領域が飽和しギャップが全て形成されている場合と同様にインダクタンス値を低くすることができる。従って、第一スイッチと第二スイッチとを共にターンオフした場合に、サージ電圧を抑制するリアクトルとして機能することができ、副昇圧部を構成する他の素子の耐圧破壊を防止することができる。
【発明の効果】
【００１４】
本発明によれば、昇圧コンバータにおいて最適な構成の可飽和特性を備える共振用リアクトルを有する燃料電池システムを提供することができる。
【図面の簡単な説明】
【００１５】
【図１】本発明の実施形態である昇圧コンバータが用いられる燃料電池システムを示す概略構成図である。
【図２】図１に示す燃料電池システムに用いられる昇圧コンバータの回路構成を示す図である。
【図３】図２に示す昇圧コンバータに用いられる可飽和特性を有する共振リアクトルの特性を示す図である。
【図４】図２に示す昇圧コンバータに用いられる可飽和特性を有する共振リアクトルを示す図である。
【図５】図２に示す昇圧コンバータに用いられる可飽和特性を有する共振リアクトルを示す図である。
【図６】図２に示す昇圧コンバータに用いられる可飽和特性を有する共振リアクトルを示す図である。
【図７】図２に示す昇圧コンバータに用いられる可飽和特性を有する共振リアクトルを示す図である。
【図８】図７に示す共振リアクトルに用いられる可飽和コアを示す図である。
【発明を実施するための形態】
【００１６】
以下、添付図面を参照しながら本発明の実施の形態について説明する。説明の理解を容易にするため、各図面において同一の構成要素に対しては可能な限り同一の符号を付して、重複する説明は省略する。
【００１７】
最初に、本発明の実施形態である燃料電池車両に搭載される燃料電池システムＦＣＳについて図１を参照しながら説明する。図１は燃料電池車両の車載電源システムとして機能する燃料電池システムＦＣＳのシステム構成を示す図である。燃料電池システムＦＣＳは、燃料電池自動車（ＦＣＨＶ）、電気自動車、ハイブリッド自動車などの車両に搭載することができる。
【００１８】
燃料電池システムＦＣＳは、燃料電池ＦＣと、酸化ガス供給系ＡＳＳと、燃料ガス供給系ＦＳＳと、電力系ＥＳと、冷却系ＣＳと、コントローラＥＣとを備えている。燃料電池ＦＣは、反応ガス（燃料ガス、酸化ガス）の供給を受けて発電するものである。酸化ガス供給系ＡＳＳは、酸化ガスとしての空気を燃料電池ＦＣに供給するための系である。燃料ガス供給系ＦＳＳは、燃料ガスとしての水素ガスを燃料電池ＦＣに供給するための系である。電力系ＥＳは、電力の充放電を制御するための系である。冷却系ＣＳは、燃料電池ＦＣを冷却するための系である。コントローラＥＣ（制御部）は、燃料電池システムＦＣＳ全体を統括制御するコントローラである。
【００１９】
燃料電池ＦＣは、多数のセル（アノード、カソード、及び電解質を備える単一の電池（発電体））を直列に積層してなる固体高分子電解質形のセルスタックとして構成されている。燃料電池ＦＣでは、通常の運転において、アノードにおいて（１）式の酸化反応が生じ、カソードにおいて（２）式の還元反応が生じる。燃料電池ＦＣ全体としては（３）式の起電反応が生じる。
【００２０】
Ｈ2→２Ｈ+＋２ｅ-                      （１）
（１／２）Ｏ2＋２Ｈ+＋２ｅ-→Ｈ2Ｏ        （２）
Ｈ2＋（１／２）Ｏ2→Ｈ2Ｏ                （３）
【００２１】
酸化ガス供給系ＡＳＳは、酸化ガス流路ＡＳ３と酸化オフガス流路ＡＳ４とを有している。酸化ガス流路ＡＳ３は、燃料電池ＦＣのカソードに供給される酸化ガスが流れる流路である。酸化オフガス流路ＡＳ４は、燃料電池ＦＣから排出される酸化オフガスが流れる流路である。
【００２２】
酸化ガス流路ＡＳ３には、エアコンプレッサＡＳ２と、加湿器ＡＳ５とが設けられている。エアコンプレッサＡＳ２は、フィルタＡＳ１を介して大気中から酸化ガスを取り込むためのコンプレッサである。加湿器ＡＳ５は、エアコンプレッサＡＳ２により加圧される酸化ガスを加湿するための加湿器である。
【００２３】
酸化オフガス流路ＡＳ４には、圧力センサＳ６と、背圧調整弁Ａ３と、加湿器ＡＳ５とが設けられている。背圧調整弁Ａ３は、酸化ガス供給圧を調整するための弁である。加湿器ＡＳ５は、酸化ガス（ドライガス）と酸化オフガス（ウェットガス）との間で水分交換するためのものとして設けられている。
【００２４】
燃料ガス供給系ＦＳＳは、燃料ガス供給源ＦＳ１と、燃料ガス流路ＦＳ３と、循環流路ＦＳ４と、循環ポンプＦＳ５と、排気排水流路ＦＳ６とを有している。燃料ガス流路ＦＳ３は、燃料ガス供給源ＦＳ１から燃料電池ＦＣのアノードに供給される燃料ガスが流れる流路である。循環流路ＦＳ４は、燃料電池ＦＣから排出される燃料オフガスを燃料ガス流路ＦＳ３に帰還させるための流路である。循環ポンプＦＳ５は、循環流路ＦＳ４内の燃料オフガスを燃料ガス流路ＦＳ３に圧送するポンプである。排気排水流路ＦＳ６は、循環流路ＦＳ４に分岐接続される流路である。
【００２５】
燃料ガス供給源ＦＳ１は、例えば、高圧水素タンクや水素吸蔵合金などで構成され、高圧（例えば、３５ＭＰａ〜７０ＭＰａ）の水素ガスを貯蔵するものである。遮断弁Ｈ１を開くと、燃料ガス供給源ＦＳ１から燃料ガス流路ＦＳ３に燃料ガスが流出する。燃料ガスは、レギュレータＨ２やインジェクタＦＳ２により、例えば、２００ｋＰａ程度まで減圧されて、燃料電池ＦＣに供給される。
【００２６】
燃料ガス流路ＦＳ３には、遮断弁Ｈ１と、レギュレータＨ２と、インジェクタＦＳ２と、遮断弁Ｈ３と、圧力センサＳ４とが設けられている。遮断弁Ｈ１は、燃料ガス供給源ＦＳ１からの燃料ガスの供給を遮断又は許容するための弁である。レギュレータＨ２は、燃料ガスの圧力を調整するものである。インジェクタＦＳ２は、燃料電池ＦＣへの燃料ガス供給量を制御するものである。遮断弁Ｈ３は、燃料電池ＦＣへの燃料ガス供給を遮断するための弁である。
【００２７】
レギュレータＨ２は、その上流側圧力（一次圧）を、予め設定した二次圧に調圧する装置であり、例えば、一次圧を減圧する機械式の減圧弁などで構成される。機械式の減圧弁は、背圧室と調圧室とがダイアフラムを隔てて形成された筺体を有し、背圧室内の背圧により調圧室内で一次圧を所定の圧力に減圧して二次圧とする構成を有する。インジェクタＦＳ２の上流側にレギュレータＨ２を配置することにより、インジェクタＦＳ２の上流側圧力を効果的に低減させることができる。
【００２８】
インジェクタＦＳ２は、弁体を電磁駆動力で直接的に所定の駆動周期で駆動して弁座から離隔させることによりガス流量やガス圧を調整することが可能な電磁駆動式の開閉弁である。インジェクタＦＳ２は、燃料ガス等の気体燃料を噴射する噴射孔を有する弁座と、その気体燃料を噴射孔まで供給案内するノズルボディと、このノズルボディに対して軸線方向（気体流れ方向）に移動可能に格納保持され噴射孔を開閉する弁体とを備えている。
【００２９】
インジェクタＦＳ２の弁体は電磁駆動装置であるソレノイドにより駆動され、コントローラＥＣから出力される制御信号によってインジェクタＦＳ２のガス噴射時間及びガス噴射時期を制御することが可能なように構成されている。インジェクタＦＳ２は、その下流に要求されるガス流量を供給するために、インジェクタＦＳ２のガス流路に設けられた弁体の開口面積（開度）及び開放時間の少なくとも一方を変更することにより、下流側に供給されるガス流量（又は水素モル濃度）を調整する。
【００３０】
循環流路ＦＳ４には、遮断弁Ｈ４が設けられ、排気排水流路ＦＳ６が接続されている。排気排水流路ＦＳ６には、排気排水弁Ｈ５が設けられている。排気排水弁Ｈ５は、コントローラＥＣからの指令によって作動することにより、循環流路ＦＳ４内の不純物を含む燃料オフガスと水分とを外部に排出するための弁である。排気排水弁Ｈ５の開弁により、循環流路ＦＳ４内の燃料オフガス中の不純物の濃度が下がり、循環系内を循環する燃料オフガス中の水素濃度を上げることができる。
【００３１】
排気排水弁Ｈ５を介して排出される燃料オフガスは、酸化オフガス流路ＡＳ４を流れる酸化オフガスと混合され、希釈器（図示せず）によって希釈される。循環ポンプＦＳ５は、循環系内の燃料オフガスをモータ駆動により燃料電池ＦＣに循環供給する。
【００３２】
電力系ＥＳは、ＤＣ／ＤＣコンバータＥＳ１と、バッテリＥＳ２と、トラクションインバータＥＳ３と、トラクションモータＥＳ４と、補機類ＥＳ５と、ＦＣ昇圧コンバータＥＳ６とを備えている。燃料電池システムＦＣＳは、ＤＣ／ＤＣコンバータＥＳ１とトラクションインバータＥＳ３とが並列に燃料電池ＦＣに接続するパラレルハイブリッドシステムとして構成されている。ＤＣ／ＤＣコンバータＥＳ１とトラクションインバータＥＳ３とはＰＣＵ（Ｐｏｗｅｒ  Ｃｏｎｔｒｏｌ  Ｕｎｉｔ）を構成している。
【００３３】
ＦＣ昇圧コンバータＥＳ６は、燃料電池ＦＣの出力電圧を昇圧してトラクションインバータＥＳ３及びトラクションモータＥＳ４に向けて出力する機能を有するＤＣ／ＤＣコンバータである。ＤＣ／ＤＣコンバータＥＳ１は、バッテリＥＳ２から供給される直流電圧を昇圧してトラクションインバータＥＳ３に出力する機能と、燃料電池ＦＣが発電した直流電力、又は回生制動によりトラクションモータＥＳ４が回収した回生電力を降圧してバッテリＥＳ２に充電する機能とを有する。ＤＣ／ＤＣコンバータＥＳ１のこれらの機能により、バッテリＥＳ２の充放電が制御される。また、ＤＣ／ＤＣコンバータＥＳ１による電圧変換制御により、燃料電池ＦＣの運転ポイント（出力端子電圧、出力電流）が制御される。燃料電池ＦＣには、電圧センサＳ１と電流センサＳ２とが取り付けられている。電圧センサＳ１は、燃料電池ＦＣの出力端子電圧をＦＣ昇圧コンバータＥＳ６が昇圧した電圧を検出するためのセンサである。電流センサＳ２は、燃料電池ＦＣの出力電流を検出するためのセンサである。また、昇圧コンバータＥＳ６とトラクションインバータＥＳ３との間には温度センサＳ７が取り付けられている。
【００３４】
バッテリＥＳ２は、余剰電力の貯蔵源、回生制動時の回生エネルギー貯蔵源、燃料電池車両の加速又は減速に伴う負荷変動時のエネルギーバッファとして機能する。バッテリＥＳ２としては、例えば、ニッケル・カドミウム蓄電池、ニッケル・水素蓄電池、リチウム二次電池等の二次電池が好適である。バッテリＥＳ２には、ＳＯＣ（Ｓｔａｔｅ  ｏｆ  ｃｈａｒｇｅ）を検出するためのＳＯＣセンサＳ３が取り付けられている。
【００３５】
トラクションインバータＥＳ３は、例えば、パルス幅変調方式で駆動されるＰＷＭインバータである。トラクションインバータＥＳ３は、コントローラＥＣからの制御指令に従って、燃料電池ＦＣ又はバッテリＥＳ２から出力される直流電圧を三相交流電圧に変換して、トラクションモータＥＳ４の回転トルクを制御する。トラクションモータＥＳ４は、例えば、三相交流モータであり、燃料電池車両の動力源を構成する。
【００３６】
補機類ＥＳ５は、燃料電池システムＦＣＳ内の各部に配置されている各モータ（例えば、ポンプ類などの動力源）、これらのモータを駆動するためのインバータ類、及び各種の車載補機類（例えば、エアコンプレッサ、インジェクタ、冷却水循環ポンプ、ラジエータなど）を総称するものである。
【００３７】
冷却系ＣＳは、ラジエータＣＳ１と、冷却液ポンプＣＳ２と、冷却液往路ＣＳ３と、冷却液復路ＣＳ４とを有している。ラジエータＣＳ１は、燃料電池ＦＣを冷却するための冷却液を放熱して冷却するものである。冷却液ポンプＣＳ２は、冷却液を燃料電池ＦＣとラジエータＣＳ１との間で循環させるためのポンプである。冷却液往路ＣＳ３は、ラジエータＣＳ１と燃料電池ＦＣとを繋ぐ流路であって、冷却液ポンプＣＳ２が設けられている。冷却液ポンプＣＳ２が駆動することで、冷却液はラジエータＣＳ１から燃料電池ＦＣへと冷却液往路ＣＳ３を通って流れる。冷却液復路ＣＳ４は、燃料電池ＦＣとラジエータＣＳ１とを繋ぐ流路であって、水温センサＳ５が設けられている。冷却液ポンプＣＳ２が駆動することで、燃料電池ＦＣを冷却した冷却液はラジエータＣＳ１へと還流する。
【００３８】
コントローラＥＣ（制御部）は、ＣＰＵ、ＲＯＭ、ＲＡＭ、及び入出力インタフェースを備えるコンピュータシステムであり、燃料電池システムＦＣＳの各部を制御するものである。例えば、コントローラＥＣは、イグニッションスイッチから出力される起動信号ＩＧを受信すると、燃料電池システムＦＣＳの運転を開始する。その後、コントローラＥＣは、アクセルセンサから出力されるアクセル開度信号ＡＣＣや、車速センサから出力される車速信号ＶＣなどを基に、燃料電池システムＦＣＳ全体の要求電力を求める。燃料電池システムＦＣＳ全体の要求電力は、車両走行電力と補機電力との合計値である。
【００３９】
ここで、補機電力には、車載補機類（加湿器、エアコンプレッサ、水素ポンプ、及び冷却水循環ポンプ等）で消費される電力、車両走行に必要な装置（変速機、車輪制御装置、操舵装置、及び懸架装置等）で消費される電力、乗員空間内に配設される装置（空調装置、照明器具、及びオーディオ等）で消費される電力などが含まれる。
【００４０】
そして、コントローラＥＣは、燃料電池ＦＣとバッテリＥＳ２とのそれぞれの出力電力の配分を決定する。コントローラＥＣは、燃料電池ＦＣの発電量が目標電力に一致するように、酸化ガス供給系ＡＳＳ及び燃料ガス供給系ＦＳＳを制御する。また、コントローラＥＣは、ＤＣ／ＤＣコンバータＥＳ１に指示信号を出力し、ＤＣ／ＤＣコンバータＥＳ１によるコンバータ制御を実行させ、燃料電池ＦＣの運転ポイント（出力端子電圧、出力電流）を制御する。更に、コントローラＥＣは、アクセル開度に応じた目標トルクが得られるように、例えば、スイッチング指令として、Ｕ相、Ｖ相、及びＷ相の各交流電圧指令値をトラクションインバータＥＳ３に出力し、トラクションモータＥＳ４の出力トルク、及び回転数を制御する。更に、コントローラＥＣは、冷却系ＣＳを制御して燃料電池ＦＣが適切な温度になるように制御する。
【００４１】
ここで、図２に基づいて、ＦＣ昇圧コンバータＥＳ６の電気回路の特徴について説明する。図２は、ＦＣ昇圧コンバータＥＳ６を中心として、燃料電池システムＦＣＳの電気的構成を示す図であるが、説明を簡便にするためにバッテリＥＳ２やバッテリ昇圧コンバータとしてのＤＣ／ＤＣコンバータＥＳ１等の記載は省略している。
【００４２】
ＦＣ昇圧コンバータＥＳ６は、ＤＣ／ＤＣコンバータとしての昇圧動作を行うための主昇圧回路ＬＮ１と、ソフトスイッチング動作を行うための副昇圧回路ＬＮ２とで構成されている。
【００４３】
主昇圧回路ＬＮ１は、スイッチ素子Ｓ１（第一スイッチ）とダイオードＤ４で構成されるスイッチング回路のスイッチ動作によって、コイルＬ１（第一コイル）に蓄えられたエネルギーをトラクションモータＥＳ４側（トラクションインバータＥＳ３側）にダイオードＤ３を介して解放することで燃料電池ＦＣの出力電圧を昇圧する。具体的には、コイルＬ１の一端が燃料電池ＦＣの高電位側の端子に接続される。そして、スイッチ素子Ｓ１の一端の極が、コイルＬ１の他端に接続されるとともに、そのスイッチ素子Ｓ１の他端の極が、燃料電池ＦＣの低電位側の端子に接続されている。また、ダイオードＤ６のカソード端子がコイルＬ１の他端に接続され、更に、コンデンサＣ３が、ダイオードＤ５のアノード端子とスイッチ素子Ｓ１の他端との間に接続されている。尚、この主昇圧回路ＬＮ１において、コンデンサＣ３は、昇圧電圧の平滑コンデンサとして機能する。尚、主昇圧回路ＬＮ１には、燃料電池ＦＣ側に平滑コンデンサＣ１も設けられ、これにより燃料電池ＦＣの出力電流のリップルを低減することが可能となる。この平滑コンデンサＣ３にかかる電圧は、ＦＣ昇圧コンバータＥＳ６の出口電圧となる。また、燃料電池ＦＣの電源電圧は、平滑コンデンサＣ１にかかる電圧であって、且つＦＣ昇圧コンバータＥＳ６の入口電圧となる。
【００４４】
次に、副昇圧回路ＬＮ２には、先ずスイッチ素子Ｓ１に並列に接続された、ダイオードＤ２と、それに直列に接続されたスナバコンデンサＣ２とを含む第一直列接続体が含まれる。この第一直列接続体では、ダイオードＤ２のカソード端子がコイルＬ１の他端に接続され、そのアノード端子がスナバコンデンサＣ２の一端に接続されている。更に、スナバコンデンサＣ２の他端は、燃料電池ＦＣの低電位側の端子に接続されている。更に、副昇圧回路ＬＮ２には、誘導素子であるコイルＬ２（第二コイル）と、ダイオードＤ１と、スイッチ素子Ｓ２（第二スイッチ）及びダイオードＤ５で構成されるスイッチング回路とが直列に接続された第二直列接続体が含まれる。この第二直列接続体では、スイッチ素子Ｓ２の一端が、第一直列接続体のダイオードＤ２とスナバコンデンサＣ２との接続部位に接続される。更に、ダイオードＤ１のカソード端子が、コイルＬ２の一端に接続されるとともに、そのアノード端子が、スイッチ素子Ｓ２の他端の極に接続される。また、コイルＬ２の他端は、コイルＬ１の一端側に接続される。また、副昇圧回路ＬＮ２には、ダイオードＤ６が設けられており、そのアノード端子が第二直列接続体のコイルＬ２とダイオードＤ１との接続部位に接続され、そのカソード端子が燃料電池ＦＣの低電位側の端子に接続されている。
【００４５】
このように構成されるＦＣ昇圧コンバータＥＳ６は、スイッチ素子Ｓ１のスイッチングデューティ比を調整することで、ＦＣ昇圧コンバータＥＳ６による昇圧比、即ちＦＣ昇圧コンバータＥＳ６に入力される燃料電池ＦＣの出力電圧に対する、トラクションインバータＥＳ３にかけられるＦＣ昇圧コンバータＥＳ６の出力電圧の比が制御される。また、このスイッチ素子Ｓ１のスイッチング動作において副昇圧回路ＬＮ２のスイッチ素子Ｓ２のスイッチング動作を介在させることで、いわゆるソフトスイッチングが実現され、ＦＣ昇圧コンバータＥＳ６でのスイッチングロスを大きく低減させることが可能となる。
【００４６】
続いて、コイルＬ２として用いられる可飽和特性を有する共振リアクトルについて説明する。図３は、そのような可飽和特性を有する共振リアクトルのインダクタンス特性を示す図である。図３に示すように、低電流域では３０μＨのインダクタンス値を有し、高電流域では０．９μＨのインダクタンス値を有するように構成する。一般的には、低電流域で３０μＨのインダクタンス値を有するコイルと、高電流域で０．９μＨのインダクタンス値を有するコイルとを直列に配置するけれども、本実施形態では共振リアクトルに可飽和特性を持たせることで、一つのコイルによって実現するものである。
【００４７】
コイルＬ２として用いられるコイルであって、可飽和特性を有する共振リアクトルとしてのコイルＬａの構成を図４に示す。図４に示すように、コイルＬａは、磁性材料によって構成されるコア１０，１５と、銅線を巻回することで形成される巻線１７とによって構成されている。
【００４８】
コア１０はＥ型のコアであって、センターコア１０２と、サイドコア１０１，１０３とが設けられている。コア１５もＥ型のコアであって、センターコア１５２と、サイドコア１５１，１５３とが設けられている。コア１０とコア１５とは、センターコア１０２とセンターコア１５２とが対向し、サイドコア１０１とサイドコア１５１とが対向し、サイドコア１０３とサイドコア１５３とが対向するように配置されている。巻線１７は、センターコア１０２及びセンターコア１５２に巻きつけられている。
【００４９】
センターコア１０２とセンターコア１５２との間には、ギャップ２２，２３が設けられており、ギャップ２２とキャップ２３との間にはコア領域３２が設けられている。ギャップ２２，２３は、それぞれ非磁性体（例えば、セラミックス材料）によって形成されており、コア領域３２は磁性体によって形成されている。サイドコア１０１とサイドコア１５１との間には、ギャップ２０が設けられており、ギャップ２０に隣接してコア領域３０が設けられている。ギャップ２０は非磁性体（例えば、セラミックス材料）によって形成されており、コア領域３０は磁性体によって形成されている。サイドコア１０３とサイドコア１５３との間には、ギャップ２１が設けられており、ギャップ２１に隣接してコア領域３１が設けられている。ギャップ２１は非磁性体（例えば、セラミックス材料）によって形成されており、コア領域３１は磁性体によって形成されている。
【００５０】
続いて、コイルＬ２として用いられるコイルの別例であるコイルＬｂの構成を図５に示す。図５に示すように、コイルＬｂは、磁性材料によって構成されるコア４０，４５，４２ａ，４２ｂ，４３ａ，４３ｂと、銅線を巻回することで形成される巻線１８とによって構成されている。
【００５１】
コア４０，４５はＵ型のコアであり、コア４２ａ，４２ｂ，４３ａ，４３ｂはＩ型のコアである。コア４０の一方の脚と対向するようにコア４２ａが配置され、他方の脚と対向するようにコア４２ｂが配置される。また、コア４５の一方の脚と対向するようにコア４３ａが配置され、他方の脚と対向するようにコア４３ｂが配置される。更に、コア４２ａとコア４３ａが対向し、コア４２ｂとコア４３ｂとが対向するように配置される。従って、コア４０，４５，４２ａ，４２ｂ，４３ａ，４３ｂによって、円環状のコアが形成される。巻線１８は、コア４５の一方の脚からコア４３ａ，４２ａに巻回され、コア４０の一方の脚から他方の脚へと巻回され、コア４２ｂ，４３ｂからコア４５の他方の脚に巻回されている。
【００５２】
コア４０の一方の脚とコア４２ａとの間にはギャップ５０ａが設けられており、ギャップ５０ａに隣接してコア領域６０ａが設けられている。コア４２ａとコア４３ａとの間にはギャップ５２ａが設けられており、ギャップ５２ａに隣接してコア領域６２ａが設けられている。コア４３ａとコア４５の一方の脚との間にはギャップ５４ａが設けられており、ギャップ５４ａに隣接してコア領域６４ａが設けられている。コア４０の他方の脚とコア４２ｂとの間にはギャップ５０ｂが設けられており、ギャップ５０ｂに隣接してコア領域６０ｂが設けられている。コア４２ｂとコア４３ｂとの間にはギャップ５２ｂが設けられており、ギャップ５２ｂに隣接してコア領域６２ｂが設けられている。コア４３ｂとコア４５の他方の脚との間にはギャップ５４ｂが設けられており、ギャップ５４ｂに隣接してコア領域６４ｂが設けられている。
【００５３】
ギャップ５０ａ，５２ａ，５４ａ，５０ｂ，５２ｂ，５４ｂは非磁性体（例えば、セラミックス材料）によって形成されており、コア領域６０ａ、６２ａ，６４ａ，６０ｂ、６２ｂ，６４ｂは磁性体によって形成されている。
【００５４】
続いて、コイルＬ２として用いられるコイルの別例であるコイルＬｃの構成を図６に示す。図６に示すように、コイルＬｃは、磁性材料によって構成されるコア７０と、銅線を巻回することで形成される巻線１９とによって構成されている。
【００５５】
コア７０はＣ型のコアであり、コ字状をなすコア部分７３と、コア部分７３の一方の端から他方の端へと延出するコア部分７１と、コア部分７３の他方の端から一方の端へと演出するコア部分７２とを有している。コア部分７１の先端とコア部分７３の先端とは対向するように設けられている。巻線１９は、コア部分７１からコア部分７２へと巻回されている。
【００５６】
コア部分７１の先端とコア部分７２の先端との間には、ギャップ８０が設けられており、ギャップ８０に隣接してコア領域９０が設けられている。ギャップ８０は非磁性体（例えば、セラミックス材料）によって形成されており、コア領域９０は磁性体によって形成されている。
【００５７】
上述したコイルＬａ，Ｌｂ，Ｌｃではいずれもギャップの空間を利用して可飽和コアを設ける例について説明したが、本発明の趣旨に鑑みれば、ギャップ以外の主コアの空き空間を利用して可飽和コアを設けることも好ましいものである。このように、ギャップ以外の部分において可飽和コアとしての磁性体を組み込む例を図７及び図８を参照しながら説明する。図７は、コイルＬ２として用いられるコイルの別例であるコイルＬｄの構成を示す図である。図８は、図７に示す可飽和コア部品９５の構成を示す斜視図である。図７に示すように、コイルＬｄは、磁性材料によって構成されるコア７５と、銅線を巻回することで形成される巻線１９５と、可飽和コア部品９５とによって構成されている。
【００５８】
コア７５は、Ｅ型コア７５３とＥ型コア７５４とを組み合わせて形成されている。Ｅ型コア７５３は、サイドコア７５１ａと、センターコア７５１ｂと、サイドコア７５１ｃとを有している。Ｅ型コア７５４は、サイドコア７５２ａと、センターコア７５２ｂと、サイドコア７５２ｃとを有している。Ｅ型コア７５３とＥ型コア７５４とは、サイドコア７５１ａとサイドコア７５２ａとが対向し、センターコア７５１ｂとセンターコア７５２ｂとが対向し、サイドコア７５１ｃとサイドコア７５２ｃとが対向するように配置されている。サイドコア７５１ａとサイドコア７５２ａとが対向する部分と、センターコア７５１ｂとセンターコア７５２ｂとが対向する部分と、サイドコア７５１ｃとサイドコア７５２ｃとが対向する部分とには、それぞれギャップ８５が設けられている。ギャップ８５は非磁性体によって形成されている。
【００５９】
サイドコア７５１ａとセンターコア７５１ｂとサイドコア７５２ａとセンターコア７５２ｂとで囲まれる内部空間には、可飽和コア部品９５が配置されている。可飽和コア部品９５は、図７及び図８に示すように、可飽和コア９５２とＬ字金具９５１とによって構成されている。可飽和コア９５２は、磁性体によって形成されており、円筒形状をなし、空洞９５２ａが形成されている。Ｌ字金具９５１は、取り付け部分９５１ａと、可飽和コア取り付け部分９５１ｂとで構成されている。可飽和コア９５２は、可飽和コア取り付け部分９５１ｂから取り付け部分９５１ａが延伸する方向と同じ方向に延出するように取り付けられている。可飽和コア部品９５は、コア７５の内部空間に対して取り付け部分９５１ａを密着させて取り付けられている。従って、可飽和コア９５２が発熱すると、その熱はＬ字金具９５１を伝ってコア７５に伝えられる。巻線１９５は、コア７５の外部から導入され、可飽和コア９５２の空洞９５２ａを通ってセンターコア７５１ｂ，７５２ｂに巻回され、その後コア７５の外部に導出されている。
【００６０】
このコイルＬｄのように、主コアであるコア７５の空き空間を利用して可飽和コア９５２を組み込み、可飽和コア９５２の発熱を主コアであるコア７５に伝達できるように構成することで、主コアであるコア７５の発熱と可飽和コア９５２の発熱との冷却を一体化して行うことができる。このように、ギャップに隣接して磁性体によって形成される可飽和コア領域が設けられているとは、ギャップに接触して可飽和コア領域が設けられているものに限られず、ギャップとは所定の距離をおいているものの可飽和特性を発現できると共に主コアと一体的に冷却可能であるものも含むものである。
【符号の説明】
【００６１】
ＦＣＳ：燃料電池システム
ＥＣ：コントローラ
ＦＣ：燃料電池
ＦＳＳ：燃料ガス供給系
ＦＳ１：燃料ガス供給源
ＦＳ２：インジェクタ
ＦＳ３：燃料ガス流路
ＦＳ４：循環流路
ＦＳ５：循環ポンプ
ＦＳ６：排気排水流路
Ｈ１：遮断弁
Ｈ２：レギュレータ
Ｈ３：遮断弁
Ｈ４：遮断弁
Ｈ５：排気排水弁
ＡＳＳ：酸化ガス供給系
ＡＳ１：フィルタ
ＡＳ２：エアコンプレッサ
ＡＳ３：酸化ガス流路
ＡＳ４：酸化オフガス流路
ＡＳ５：加湿器
Ａ３：背圧調整弁
ＣＳ：冷却系
ＣＳ１：ラジエータ
ＣＳ２：冷却液ポンプ
ＣＳ３：冷却液往路
ＣＳ４：冷却液復路
ＥＳ：電力系
ＥＳ１：コンバータ
ＥＳ２：バッテリ
ＥＳ３：トラクションインバータ
ＥＳ４：トラクションモータ
ＥＳ５：補機類
ＥＳ６：ＦＣ昇圧コンバータ
Ｓ１：電圧センサ
Ｓ２：電流センサ
Ｓ３：ＳＯＣセンサ
Ｓ４：圧力センサ
Ｓ５：水温センサ
Ｓ６：圧力センサ
Ｓ７：温度センサ
ＩＧ：起動信号
ＶＣ：車速信号
ＡＣＣ：アクセル開度信号
【図１】
2011130594.tif 000003
【図２】
2011130594.tif 000004
【図３】
2011130594.tif 000005
【図４】
2011130594.tif 000006
【図５】
2011130594.tif 000007
【図６】
2011130594.tif 000008
【図７】
2011130594.tif 000009
【図８】
2011130594.tif 000010